(57)【要約】【課題】足の挿入が容易で、掃除し易い足浴器を得る。【解決手段】挿入される足を収納する収納室２８が底板２上に形成されると共に、挿入された足が出される開口部２９が収納室２８の上側に形成される。また、収納室２８を開放する開閉可能な扉１６を備え、扉１６は、開いた際に、底板２上から開口部２９に達し、かつ、収納室２８の幅とほぼ同じ幅で収納室２８を開放する。扉１６は、観音開きの一対の扉部材１８，２０を備え、一対の扉部材１８，２０は、更に、それぞれが中程で折れ曲がる。また、足を載せる足載せ台３０，３２を底板２上の収納室２８内に配置し、扉１６は、開いた状態で、少なくとも足載せ台３０，３２の側方をも開放する。【選択図】  図６
2008178539.tif 000002
【特許請求の範囲】
【請求項１】
挿入される足を収納する収納室を備え、前記足を温浴する足浴器において、
前記収納室は底板上に形成されると共に、挿入された前記足が出される開口部が前記収納室の上側に形成され、かつ、前記収納室を開放する開閉可能な扉を備え、前記扉は、開いた際に、前記底板上から前記開口部に達し、かつ、前記収納室の幅とほぼ同じ幅で前記収納室を開放することを特徴とする足浴器。
【請求項２】
前記扉は、観音開きの一対の扉部材を備えることを特徴とする請求項１に記載の足浴器。
【請求項３】
一対の前記扉部材は、更に、それぞれが折れ曲がることを特徴とする請求項２に記載の足浴器。
【請求項４】
前記足を載せる足載せ台を前記底板上の前記収納室内に配置し、前記扉は、開いた状態で、少なくとも前記足載せ台の側方をも開放することを特徴とする請求項１ないし請求項３のいずれかに記載の足浴器。
【発明の詳細な説明】
【技術分野】
【０００１】
本発明は、足を収納室に収納して、収納室に供給される加湿した温風により温浴する足浴器に関する。
【背景技術】
【０００２】
従来より、特許文献１にあるように、足を挿入して、スチーム発生装置からのスチームにより温浴する足浴器が提案されている。このような足浴器では、ヒータによりスチームを発生させ、足浴器内の温度を検出するセンサを設け、センサにより検出される温度が設定温度以上となったときには、ヒータによる加熱を止めてスチームの発生を停止するようにしている。使用前後での足の出し入れの際には、後部の壁の上側一部を可動可能として、この可動する壁を押し下げて、足の出し入れが出来るように構成されている。
【特許文献１】特開２００５−１３７２１号公報
【発明の開示】
【発明が解決しようとする課題】
【０００３】
しかしながら、こうした従来のものでは、後部の壁の上側一部が可動可能にされており、足を挿入する際には、爪先を伸ばすようにして挿入しなければならず、足の挿入が難しいという問題があった。
【０００４】
また、後部の壁の上側一部が可動可能するのみで、足浴器の足を載せる底の周囲は壁に囲まれており、掃除が難しく、カビの発生や雑菌の繁殖等を招く場合があるという問題があった。
【０００５】
本発明の課題は、足の挿入が容易で、掃除し易い足浴器を提供することにある。
【課題を解決するための手段】
【０００６】
かかる課題を達成すべく、本発明は課題を解決するため次の手段を取った。即ち、
挿入される足を収納する収納室を備え、前記足を温浴する足浴器において、
前記収納室は底板上に形成されると共に、挿入された前記足が出される開口部が前記収納室の上側に形成され、かつ、前記収納室を開放する開閉可能な扉を備え、前記扉は、開いた際に、前記底板上から前記開口部に達し、かつ、前記収納室の幅とほぼ同じ幅で前記収納室を開放することを特徴とする足浴器がそれである。
【０００７】
前記扉は、観音開きの一対の扉部材を備えた構成でもよい。その際、一対の前記扉部材は、更に、それぞれが折れ曲がる構成でもよい。また、前記足を載せる足載せ台を前記底板上の前記収納室内に配置し、前記扉は、開いた状態で、少なくとも前記足載せ台の側方をも開放する構成でもよい。
【発明の効果】
【０００８】
本発明の足浴器は、扉を開くと、収納室が大きく開放されるので、使用者が高齢者等の足腰の弱った者でも、使用者が椅子に座ったままの状態で、足を横から前側に廻して収納室に容易に足の出し入れできると共に、収納室内が掃除し易いという効果を奏する。また、扉が観音開きの一対の扉部材を備えることにより、扉が大きくても、扉を開くための大きなスペースを必要としない。しかも、一対の扉部材がそれぞれ折れ曲がると、更に、扉を開くためのスペースを小さくできる。更に、扉を開いた際に、足載せ台の側方をも開放すると、更に、足の出し入れが容易になり、掃除し易くなる。
【発明を実施するための最良の形態】
【０００９】
以下本発明を実施するための最良の形態を図面に基づいて詳細に説明する。
図１〜図３に示すように、１は本体で、本体１は底板２と、底板２の左右に立設された一対の側板４，６と、一対の側板４，６の上端に張り渡された天板８とを備えている。底板２の底には複数のキャスター１０が取り付けられ、天板８上には取手部材１２が取り付けられている。
【００１０】
一対の側板４，６と天板８とは、底板２の半分程度の幅に形成されて、底板２の半分が一対の側板４，６と天板８とにより覆われて、残りの半分は開放されている。図６に示すように、底板２と側板４，６と天板８とに囲まれた中空内部に、背面板１４が配置されている。
【００１１】
背面板１４は、一対の側板４，６の内側に沿って、底板２と側板４，６と天板８とに囲まれた内部に延ばされ、本体１の背面側が背面板１４により覆われている。また、図５に示すように、背面板１４は、底板２から立設されると共に、天板８の内側の近傍まで延ばされた後、天板８の内側に沿って前側に引き出されて、天板８の前縁に取り付けられている。
【００１２】
一対の側板４，６と天板８とにより覆われていない底板２上には、観音開きの扉１６が設けられている。扉１６は、左右一対の扉部材１８，２０を備え、左扉部材１８は第１左扉部材１８ａと第２左扉部材１８ｂとが一対の蝶番１８ｃにより接続されて中程で折り曲げ可能に構成されており、また、右扉部材２０は第１右扉部材２０ａと第２右扉部材２０ｂとが一対の蝶番２０ｃとにより接続されて中程で折り曲げ可能に構成されている。
【００１３】
第１左扉部材１８ａは左側の側板４に上下一対の蝶番１９により、揺動可能に支持されており、第１右扉部材２０ａは右側の側板６に上下一対の蝶番２１により、揺動可能に支持されている。左右扉部材１８，２０を開いた際には、左右扉部材１８，２０がそれぞれ中程で折れ曲がって、左右に大きく開放されるように構成されている。尚、本実施形態では、扉１６側を前側としている。
【００１４】
これにより、底板２と、背面板１４と、左右扉部材１８，２０とにより囲まれて、浴槽室２２が形成されている。浴槽室２２内の底板２には仕切板２４が立設されており、図５に示すように、仕切板２４の上端は背面板１４に接続されている。この仕切板２４により、浴槽室２２が発生室２６と収納室２８とに仕切られている。発生室２６は背面板１４と仕切板２４とにより囲まれ、収納室２８は左右扉部材１８，２０と仕切板２４とにより囲まれて形成されている。
【００１５】
収納室２８内の底板２上には、左右一対の足載せ台３０，３２が配置されている。足載せ台３０，３２には、電熱ヒータ３４（図５参照。一方のみ図示する。）が組み込まれており、電熱ヒータ３４により足載せ台３０，３２を加熱することができるように構成されている。
【００１６】
収納室２８は上側に開口部２９が形成されて（図３参照）、収納室２８に足を挿入し、足載せ台３０，３２に足裏を載せた状態で、挿入された足の膝下附近が開口部２９から出され、左右扉部材１８，２０を閉じることができるように構成されている。
【００１７】
左右扉部材１８，２０は、底板２上から開口部２９に達する高さに形成されると共に、収納室２８の幅とほぼ同じ幅に形成されて、左右扉部材１８，２０を開いた状態では、開口部２９からつながって収納室２８の前側全てが大きく開放されるように構成されている。また、左右扉部材１８，２０を開いた状態では、図６に二点鎖線で示すように、収納室２８の左右側面側の前側一部も開放され、足載せ台３０，３２の一部左右側方も開放されるように構成されている。
【００１８】
発生室２６内には、送風器３６、加熱器３８、加湿器４０が配置されている。送風器３６は、モータによりファンを回転させて空気を送風する周知のもので、発生室２６内の空気を吸い込んで加熱器３８に送風する。
【００１９】
加熱器３８は、送風器３６により送風された空気をヒータ４２により加熱するもので、左右両側に吐出ノズル４４，４５が設けられている。加熱器３８と送風器３６とは一体に組み立てられている。
【００２０】
加湿器４０は、水をヒータ４６により加熱して蒸気を発生させて加湿するもので、加湿器４０は底板２上に配置されると共に、一部が背面板１４から発生室２６の外部に露出されている。加湿器４０には給水ノズル４８が設けられており、給水ノズル４８を介して給水ができるように構成されている。
【００２１】
加湿器４０で発生した蒸気は、一対の供給管５０，５１を介して、発生室２６内に配置された一対の吐出ノズル５２，５３から吐出されるように構成されている。尚、加湿器４０は蒸気を発生するものに限らず、超音波振動等によりミストを発生させるものでもよい。また、加湿器４０や加熱器３８に、薬効材や芳香剤等を配置して、薬効成分や芳香を吐出する蒸気や温風に含ませるようにしてもよい。
【００２２】
発生室２６と収納室２８とは、左右に設けられた供給流路５４，５６により連通されており、供給流路５４，５６は、図５、図６に示すように、背面板１４と仕切板２４とにより形成されている。仕切板２４は一対の足載せ台３０，３２の爪先側を囲むように、湾曲して形成されると共に、背面板１４との間に供給流路５４，５６が形成される隙間が空けられて配置されている。
【００２３】
これにより、供給流路５４，５６は、発生室２６から背面板１４の左右側壁に沿って形成され、供給流路５４，５６は収納室２８に、前方に向かって開口されている。また、加熱器３８の吐出ノズル４４，４５と、加湿器４０の吐出ノズル５２，５３は、発生室２６から供給流路５４，５６に向かって、前方に吐出されるように配置されている。
【００２４】
次に、前述した本実施形態の足浴器の作動について説明する。
まず、左右扉部材１８，２０を左右に開けて、一対の足載せ台３０，３２に左右の足を載せる。そして、左右扉部材１８，２０を閉じて、足を収納室２８に収納し、足の膝下附近を開口部２９から外部に出して、送風器３６、加熱器３８、加湿器４０を駆動すると共に、足載せ台３０，３２の電熱ヒータ３４を駆動させる。
【００２５】
よって、送風器３６は発生室２６内の空気を吸い込んで、送風器３６から加熱器３８に送風され、加熱器３８は空気をヒータ４２により加熱して、吐出ノズル４４，４５から供給流路５４，５６に温風を吐出する。また、加湿器４０は蒸気を発生して、一対の吐出ノズル５２，５３から供給流路５４，５６に吐出する。
【００２６】
供給流路５４，５６に吐出された温風と蒸気は、混じり合いながら、供給流路５４，５６から収納室２８に供給されて、収納室２８を加温・加湿する。温風と蒸気とが供給された収納室２８内は、高温・多湿の状態となり、収納室２８に挿入された足を温浴し、温浴効果を得られる。
【００２７】
また、電熱ヒータ３４により、足載せ台３０，３２が加熱されて、足載せ台３０，３２に載せられている足裏を加熱する。これにより、足裏が足載せ台３０，３２に載せられていても、足の表側が温風と蒸気とにより加温されるだけでなく、足裏も加温されるので、足裏をもむら無く温浴させることができ、温浴効果を高められる。
【００２８】
足を収納室２８から抜く際には、左右扉部材１８，２０を開き、足を収納室２８から引き抜く。左右扉部材１８，２０を開くと、図６に二点鎖線で示すように、収納室２８は底板２上から開口部２９につながって、大きく開放されると共に、足載せ台３０，３２の左右の一部も開放され、収納室２８が大きく開放されるので、容易に足を引き抜くことができる。同様に、足を収納室２８に挿入する際も、左右扉部材１８，２０を開くと、収納室２８が大きく開放されるので、容易に足を挿入できる。
【００２９】
このように、左右扉部材１８，２０を開くと、収納室２８が大きく開放されるので、使用者が高齢者等の足腰の弱った者でも、使用者が椅子に座ったままの状態で、足を横から前側に廻して収納室２８に容易に出し入れできる。特に、足載せ台３０，３２の左右の一部も開放されるので、使用者が座る椅子を足浴器に近づけて置いても、使用者が椅子に座った状態で、横から足を収納室２８に入れ、少し前に足を出して足載せ台３０，３２に足を載せることができるので、椅子に座った状態で容易に足浴器を使用できる。
【００３０】
また、温浴終了後に掃除をする際、左右扉部材１８，２０を開くと、収納室２８が大きく開放されるので、底板２や足載せ台３０，３２上の水滴を排出しやすく、底板２や足載せ台３０，３２を雑巾等により拭き取る作業が容易になる。これにより、カビの発生や雑菌の繁殖等を防止することができる。
【００３１】
以上本発明はこの様な実施形態に何等限定されるものではなく、本発明の要旨を逸脱しない範囲において種々なる態様で実施し得る。
【図面の簡単な説明】
【００３２】
【図１】本発明の一実施形態としての足浴器の正面図である。
【図２】本実施形態の足浴器の側面図である。
【図３】本実施形態の足浴器の平面図である。
【図４】仕切板を二点鎖線で示す図２のＡＡ断面図である。
【図５】送風器、加熱器、加湿器はそれぞれ外形を示す図１のＢＢ断面図である。
【図６】図１のＣＣ断面図である。
【符号の説明】
【００３３】
１…本体        ２…底板
４，６…側板    ８…天板
１０…キャスター  １２…取手部材
１４…背面板    １６…扉
１８…左扉部材  １８ａ…第１左扉部材
１８ｂ…第２左扉部材  １８ｃ，１９，２０ｃ，２１…蝶番
２０…右扉部材  ２０ａ…第１右扉部材
２０ｂ…第２右扉部材  ２２…浴槽室
２４…仕切板    ２６…発生室
２８…収納室    ２９…開口部
３０，３２…足載せ台    ３４…電熱ヒータ
３６…送風器    ３８…加熱器
４０…加湿器    ４２…ヒータ
４４，４５…吐出ノズル  ４６…ヒータ
４８…給水ノズル  ５０，５１…供給管
５２，５３…吐出ノズル    ５４，５６…供給流路
【図１】
2008178539.tif 000003
【図２】
2008178539.tif 000004
【図３】
2008178539.tif 000005
【図４】
2008178539.tif 000006
【図５】
2008178539.tif 000007
【図６】
2008178539.tif 000008